(57)【要約】【課題】被噴射媒体への液滴の噴射を停止することなく、吐出不良の悪化を防止することができる液体噴射装置、制御装置、記録システム及びプログラムを提供する。【解決手段】液体を吐出する複数のノズル開口と、該ノズル開口にそれぞれ連通する圧力発生室に圧力変化を生じさせる圧力発生手段３００と、を具備する液体噴射ヘッドＩＩと、該液体噴射ヘッドＩＩの液滴の吐出不良を前記ノズル開口毎に検出する検出手段２１０と、前記圧力発生手段を制御する制御手段１１６と、を具備し、前記制御手段１１６は、記録途中で前記吐出不良を検知した後、当該吐出不良を検知したノズル開口に対応する前記圧力発生手段３００の駆動を禁止する吐出禁止モードを有する。【選択図】  図５
2017043024.tif 000002
【特許請求の範囲】
【請求項１】
液体を吐出する複数のノズル開口と、該ノズル開口にそれぞれ連通する圧力発生室に圧力変化を生じさせる圧力発生手段と、を具備する液体噴射ヘッドと、
該液体噴射ヘッドの液滴の吐出不良を前記ノズル開口毎に検出する検出手段と、
前記圧力発生手段を制御する制御手段と、を具備し、
前記制御手段は、記録途中で前記吐出不良を検知した後、当該吐出不良を検知したノズル開口に対応する前記圧力発生手段の駆動を禁止する吐出禁止モードを有することを特徴とする液体噴射装置。
【請求項２】
前記制御手段は、前記吐出禁止モードでは、前記吐出不良を検出したノズル開口以外のノズル開口を用いて記録を続行することを特徴とする請求項１記載の液体噴射装置。
【請求項３】
前記制御手段は、前記吐出禁止モードで前記吐出不良を検出したノズル開口以外のノズル開口を用いて記録を続行する際に、前記吐出不良を検出したノズル開口からの吐出を他のノズル開口からの吐出で補完する記録データで記録を続行することを特徴とする請求項２記載の液体噴射装置。
【請求項４】
前記検出手段は、前記圧力発生手段を駆動した後に、当該圧力発生手段に発生する過剰電圧を検出し、その振動の状態で吐出不良を検出することを特徴とする請求項１〜３の何れか一項に記載の液体噴射装置。
【請求項５】
液体を吐出する複数のノズル開口と、該ノズル開口にそれぞれ連通する圧力発生室に圧力変化を生じさせる圧力発生手段と、を具備する液体噴射ヘッドを具備する液体噴射装置と接続可能な制御装置であって、
前記液体噴射装置に記録を実行させる情報を含む制御コマンドを生成して送信する制御部を備え、
前記制御部は、
前記記録装置の前記液体噴射ヘッドの液滴の吐出不良を前記ノズル開口毎に検出し、記録途中で前記吐出不良を検知した際には、当該吐出不良を検知したノズル開口に対応する前記圧力発生手段のその後の駆動を禁止する吐出禁止モードを有することを特徴とする制御装置。
【請求項６】
前記制御部は、前記吐出禁止モードでは、前記吐出不良を検出したノズル開口以外のノズル開口を用いて記録を続行させることを特徴とする請求項５記載の制御装置。
【請求項７】
前記制御部は、前記吐出禁止モードで前記吐出不良を検出したノズル開口以外のノズル開口を用いて記録を続行する際に、前記吐出不良を検出したノズル開口からの吐出を他のノズル開口からの吐出で補完する記録データを用いて記録を続行させることを特徴とする請求項６記載の制御装置。
【請求項８】
前記吐出不良の検出は、前記圧力発生手段を駆動した後に、当該圧力発生手段に発生する過剰電圧を検出し、その振動の状態により行うことを特徴とする請求項５〜７の何れか一項に記載の制御装置。
【請求項９】
請求項５〜８の何れか一項に記載の制御装置と、前記制御装置と接続可能な液体噴射装置であって、液体を吐出する複数のノズル開口と、該ノズル開口にそれぞれ連通する圧力発生室に圧力変化を生じさせる圧力発生手段と、を具備する液体噴射ヘッドを具備する液体噴射装置とを具備することを特徴とする記録システム。
【請求項１０】
液体を吐出する複数のノズル開口と、該ノズル開口にそれぞれ連通する圧力発生室に圧力変化を生じさせる圧力発生手段と、を具備する液体噴射ヘッドを具備する液体噴射装置と接続可能な制御装置を制御する制御部により実行されるプログラムであって、
前記制御部に、
前記液体噴射装置の前記液体噴射ヘッドの液滴の吐出不良を前記ノズル開口毎に検出し、記録途中で前記吐出不良を検知した際には、当該吐出不良を検知したノズル開口に連通する前記圧力発生室に圧力変化を生じさせる前記圧力発生手段のその後の駆動を禁止する吐出禁止モードを実行させることを特徴とするプログラム。
【発明の詳細な説明】
【技術分野】
【０００１】
本発明は、ノズル開口から液体を吐出する液体噴射ヘッドを具備する液体噴射装置、液体噴射装置に接続可能な制御装置、制御装置を備えた記録システム、及び制御装置を制御するためのプログラムに関する。
【背景技術】
【０００２】
液滴を吐出する液体噴射ヘッドを具備する液体噴射装置としては、圧力発生手段によって圧力発生室内に圧力を発生させ、圧力発生室に連通するノズルからインク滴を吐出させるインクジェット式記録ヘッドを具備するインクジェット式記録装置が挙げられる。
【０００３】
このようなインクジェット式記録装置に搭載されるインクジェット式記録ヘッドは、インク滴の吐出不良が発生する場合があり、吐出不良を防止するためのフラッシング動作やクリーニング動作が行われ、また、不良印刷を検出する技術も開発されている。
【０００４】
さらに、印刷中に不吐出ノズルが発生し、画像不良が生じた場合、印刷を中止せずに、画像データを補正して印刷を完了する技術が提案されている（例えば、特許文献１参照）。
【０００５】
ここで、圧電アクチュエーターを用いたインクジェット式記録ヘッドとしては、ノズル開口が設けられたノズルプレートと、ノズル開口に連通する圧力発生室が設けられた流路形成基板とが接着剤等で接着されたものが提案されている（例えば、特許文献１参照）。
【先行技術文献】
【特許文献】
【０００６】
【特許文献１】特開２００９−１７２９６６号公報
【発明の概要】
【発明が解決しようとする課題】
【０００７】
しかしながら、ドット抜け等の吐出不良が発生した場合、その後、印刷を継続していると、クリーニング等で復旧できなくなる問題がある。これは不吐出となった状態でホットプラテンに温められた状態を継続する結果、インクが固まり、復旧が不可能になることが考えられる。
【０００８】
特に、粘度の高いインク、顔料インク、水溶性ポリマーを含有したラテックスインク、紫外線硬化型インクなどを用いた場合に、復旧が不可能な吐出不良が生じる可能性が高い。
【０００９】
なお、このような問題は、インクジェット式記録装置に限定されず、インク以外の液体を噴射する液体噴射装置においても同様に存在する。さらに、制御装置（ホスト装置）と、記録装置（プリンター）とが、有線又は無線で接続された状態で記録を行う記録システムにおいても同様に存在する。
【００１０】
本発明はこのような事情に鑑み、被噴射媒体への液滴の噴射を停止することなく、吐出不良の悪化を防止することができる液体噴射装置、制御装置、記録システム及びプログラムを提供することを目的とする。
【課題を解決するための手段】
【００１１】
上記課題を解決する本発明の態様は、液体を吐出する複数のノズル開口と、該ノズル開口にそれぞれ連通する圧力発生室に圧力変化を生じさせる圧力発生手段と、を具備する液体噴射ヘッドと、該液体噴射ヘッドの液滴の吐出不良を前記ノズル開口毎に検出する検出手段と、前記圧力発生手段を制御する制御手段と、を具備し、前記制御手段は、記録途中で前記吐出不良を検知した後、当該吐出不良を検知したノズル開口に対応する前記圧力発生手段の駆動を禁止する吐出禁止モードを有することを特徴とする液体噴射装置にある。
かかる態様では、印刷途中で吐出不良を検出した場合、吐出不良のノズル開口に対応する圧力発生手段の駆動を一切禁止するので、吐出不良が生じたノズル開口について吐出不良が悪化することなく、所定の回復処理により確実に回復させることができる。
【００１２】
ここで、前記制御手段は、前記吐出禁止モードでは、前記吐出不良を検出したノズル開口以外のノズル開口を用いて記録を続行することが好ましい。これによれば、印刷の途中中断を回避することができ、且つ吐出不良が生じたノズル開口について吐出不良が悪化することなく、所定の回復処理により確実に回復させることができる。
【００１３】
また、前記制御手段は、前記吐出禁止モードで前記吐出不良を検出したノズル開口以外のノズル開口を用いて記録を続行する際に、前記吐出不良を検出したノズル開口からの吐出を他のノズル開口からの吐出で補完する記録データで記録を続行することが好ましい。これによれば、吐出不良が生じても、印刷品質の低下を防止することができる。
【００１４】
また、前記検出手段は、前記圧力発生手段を駆動した後に、当該圧力発生手段に発生する過剰電圧を検出し、その振動の状態で吐出不良を検出することが好ましい。これによれば、印刷中にほぼ同時に吐出不良を検出することができる。
【００１５】
本発明の他の態様は、液体を吐出する複数のノズル開口と、該ノズル開口にそれぞれ連通する圧力発生室に圧力変化を生じさせる圧力発生手段と、を具備する液体噴射ヘッドを具備する液体噴射装置と接続可能な制御装置であって、前記液体噴射装置に記録を実行させる情報を含む制御コマンドを生成して送信する制御部を備え、前記制御部は、前記記録装置の前記液体噴射ヘッドの液滴の吐出不良を前記ノズル開口毎に検出し、記録途中で前記吐出不良を検知した際には、当該吐出不良を検知したノズル開口に対応する前記圧力発生手段のその後の駆動を禁止する吐出禁止モードを有することを特徴とする制御装置にある。
かかる態様では、印刷途中で吐出不良を検出した場合、吐出不良のノズル開口に対応する圧力発生手段の駆動を一切禁止するように制御するので、吐出不良が生じたノズル開口について吐出不良が悪化することなく、所定の回復処理により確実に回復させることができる。
【００１６】
ここで、前記制御部は、前記吐出禁止モードでは、前記吐出不良を検出したノズル開口以外のノズル開口を用いて記録を続行させることが好ましい。これによれば、印刷の途中中断を回避することができ、且つ吐出不良が生じたノズル開口について吐出不良が悪化することなく、所定の回復処理により確実に回復させることができる。
【００１７】
また、前記制御部は、前記吐出禁止モードで前記吐出不良を検出したノズル開口以外のノズル開口を用いて記録を続行する際に、前記吐出不良を検出したノズル開口からの吐出を他のノズル開口からの吐出で補完する記録データを用いて記録を続行させることが好ましい。これによれば、吐出不良が生じても、印刷品質の低下を防止することができる。
【００１８】
また、前記吐出不良の検出は、前記圧力発生手段を駆動した後に、当該圧力発生手段に発生する過剰電圧を検出し、その振動の状態により行うことが好ましい。これによれば、印刷中にほぼ同時に吐出不良を検出することができる。
【００１９】
本発明の他の態様は、上述した制御装置と、前記制御装置と接続可能な液体噴射装置であって、液体を吐出する複数のノズル開口と、該ノズル開口にそれぞれ連通する圧力発生室に圧力変化を生じさせる圧力発生手段と、を具備する液体噴射ヘッドを具備する液体噴射装置とを具備することを特徴とする記録システムにある。
かかる態様では、印刷途中で吐出不良を検出した場合、吐出不良のノズル開口に対応する圧力発生手段の駆動を一切禁止するように記録装置を制御するので、吐出不良が生じたノズル開口について吐出不良が悪化することなく、所定の回復処理により確実に回復させることができる。
【００２０】
本発明の他の態様は、液体を吐出する複数のノズル開口と、該ノズル開口にそれぞれ連通する圧力発生室に圧力変化を生じさせる圧力発生手段と、を具備する液体噴射ヘッドを具備する液体噴射装置と接続可能な制御装置を制御する制御部により実行されるプログラムであって、前記制御部に、前記液体噴射装置の前記液体噴射ヘッドの液滴の吐出不良を前記ノズル開口毎に検出し、記録途中で前記吐出不良を検知した際には、当該吐出不良を検知したノズル開口に連通する前記圧力発生室に圧力変化を生じさせる前記圧力発生手段のその後の駆動を禁止する吐出禁止モードを実行させることを特徴とするプログラムにある。
かかる態様では、印刷途中で吐出不良を検出した場合、吐出不良のノズル開口に対応する圧力発生手段の駆動を一切禁止するように制御装置を機能させ得ることができるので、吐出不良が生じたノズル開口について吐出不良が悪化することなく、所定の回復処理により確実に回復させることができる。
【図面の簡単な説明】
【００２１】
【図１】本発明の実施形態１に係る記録装置の概略斜視図である。
【図２】本発明の実施形態１に係る記録ヘッドの分解斜視図である。
【図３】本発明の実施形態１に係る記録ヘッドの平面図である。
【図４】本発明の実施形態１に係る記録ヘッドの断面図である。
【図５】本発明の実施形態１に係る記録装置の制御構成を示すブロック図である。
【図６】本発明の実施形態１に係る記録装置の動作を示すフローチャートである。
【図７】本発明の実施形態２に係る記録システムの概略構成図である。
【発明を実施するための形態】
【００２２】
以下に本発明を実施形態に基づいて詳細に説明する。
（実施形態１）
図１は、本発明の一実施形態に係る液体噴射装置の一例であるインクジェット式記録装置の概略斜視図である。
【００２３】
本実施形態の液体噴射装置は、例えば、インクジェット式記録装置であり、図１に示すように、詳しくは後述するインクジェット式記録ヘッドを有する記録ヘッドユニット１は、インク供給手段を構成するインクカートリッジ２が着脱可能に設けられ、この記録ヘッドユニット１を搭載したキャリッジ３は、装置本体４に取り付けられたキャリッジ軸５に軸方向移動自在に設けられている。この記録ヘッドユニット１は、ブラックインク組成物及びカラーインク組成物を吐出するものとしている。
【００２４】
また、キャリッジ軸５の一端部近傍には、駆動モーター６が設けられており、駆動モーター６の軸の先端部には外周に溝を有する第１のプーリー６ａが設けられている。さらに、キャリッジ軸５の他端部近傍には、駆動モーター６の第１のプーリー６ａに対応する第２のプーリー６ｂが回転自在に設けられており、これら第１のプーリー６ａと第２のプーリー６ｂとの間には環状でゴム等の弾性部材からなるタイミングベルト７が掛けられている。
【００２５】
そして、駆動モーター６の駆動力がタイミングベルト７を介してキャリッジ３に伝達されることで、記録ヘッドユニット１を搭載したキャリッジ３はキャリッジ軸５に沿って移動される。一方、搬送手段としての搬送ローラー８が設けられており、紙等の記録媒体である記録シートＳが搬送ローラー８により搬送されるようになっている。なお、記録シートＳを搬送する搬送手段は、搬送ローラーに限られずベルトやドラム等であってもよい。
【００２６】
このようなインクジェット式記録装置に搭載されるインクジェット式記録装置について説明する。なお、図２は、本発明の実施形態１に係る液体噴射ヘッドの一例であるインクジェット式記録ヘッドの分解斜視図であり、図３は、インクジェット式記録ヘッドの平面図、図４は、図３のＡ−Ａ′線断面図である。
【００２７】
図示するように、本実施形態の液体噴射ヘッドの一例であるインクジェット式記録ヘッドＩＩが備える流路形成基板１０には、圧力発生室１２が形成されている。そして、複数の隔壁１１によって区画された圧力発生室１２が同じ色のインクを吐出する複数のノズル開口２１が並設される方向に沿って並設されている。以降、この方向を圧力発生室１２の並設方向、又は第１の方向Ｘと称する。また、この第１の方向Ｘと直交する方向を、以降、第２の方向Ｙと称する。
【００２８】
また、流路形成基板１０の圧力発生室１２の長手方向の一端部側、すなわち第１の方向Ｘに直交する第２の方向Ｙの一端部側には、インク供給路１４と連通路１５とが複数の隔壁１１によって区画されている。連通路１５の外側（第２の方向Ｙにおいて圧力発生室１２とは反対側）には、各圧力発生室１２の共通のインク室（液体室）となるマニホールド１００の一部を構成する連通部１３が形成されている。すなわち、流路形成基板１０には、圧力発生室１２、インク供給路１４、連通路１５及び連通部１３からなる液体流路が設けられている。
【００２９】
流路形成基板１０の一方面側、すなわち圧力発生室１２等の液体流路が開口する面には、各圧力発生室１２に連通するノズル開口２１が穿設されたノズルプレート２０が、接着剤や熱溶着フィルム等によって接合されている。すなわち、ノズルプレート２０には、第１の方向Ｘにノズル開口２１が並設されている。
【００３０】
流路形成基板１０の他方面側には、弾性膜５０と、弾性膜５０上に形成された絶縁体膜５５とが積層されている。なお、圧力発生室１２等の液体流路は、流路形成基板１０を一方面から異方性エッチングすることにより形成されており、圧力発生室１２等の液体流路の他方面は、弾性膜５０で構成されている。
【００３１】
絶縁体膜５５上には、第１電極６０と圧電体層７０と第２電極８０とを有する圧電アクチュエーター３００（圧力発生手段）が形成されている。ここで、圧電アクチュエーター３００は、第１電極６０、圧電体層７０及び第２電極８０を含む部分をいう。一般的には、圧電アクチュエーター３００の何れか一方の電極を共通電極とし、他方の電極及び圧電体層７０を各圧力発生室１２毎にパターニングして構成する。そして、ここではパターニングされた何れか一方の電極及び圧電体層７０から構成され、両電極への電圧の印加により圧電歪みが生じる部分を圧電体能動部という。本実施形態では、第１電極６０を圧電アクチュエーター３００の共通電極とし、第２電極８０を圧電アクチュエーター３００の個別電極としているが、駆動回路や配線の都合でこれを逆にしても支障はない。なお、上述した例では、弾性膜５０、絶縁体膜５５及び第１電極６０が振動板として作用するが、勿論これに限定されるものではなく、例えば、弾性膜５０及び絶縁体膜５５を設けずに、第１電極６０のみが振動板として作用するようにしてもよい。また、圧電アクチュエーター３００自体が実質的に振動板を兼ねるようにしてもよい。ただし、流路形成基板１０上に直接第１電極６０を設ける場合には、第１電極６０とインクとが導通しないように第１電極６０を絶縁性の保護膜等で保護するのが好ましい。
【００３２】
圧電体層７０は、第１電極６０上に形成される分極構造を有する酸化物の圧電材料からなり、例えば、一般式ＡＢＯ３で示されるペロブスカイト型酸化物からなることができ、Ａは、鉛を含み、Ｂは、ジルコニウムおよびチタンのうちの少なくとも一方を含むことができる。前記Ｂは、例えば、さらに、ニオブを含むことができる。具体的には、圧電体層７０としては、例えば、チタン酸ジルコン酸鉛（Ｐｂ（Ｚｒ，Ｔｉ）Ｏ３：ＰＺＴ）、シリコンを含むニオブ酸チタン酸ジルコン酸鉛（Ｐｂ（Ｚｒ，Ｔｉ，Ｎｂ）Ｏ３：ＰＺＴＮＳ）などを用いることができる。
【００３３】
また、圧電体層７０は、鉛を含まない非鉛系圧電材料、例えば、鉄酸ビスマスや鉄酸マンガン酸ビスマスと、チタン酸バリウムやチタン酸ビスマスカリウムとを含むペロブスカイト構造を有する複合酸化物などとしてもよい。
【００３４】
さらに、このような圧電アクチュエーター３００の個別電極である各第２電極８０には、インク供給路１４側の端部近傍から引き出され、絶縁体膜５５上にまで延設される、例えば、金（Ａｕ）等からなるリード電極９０が接続されている。
【００３５】
このような圧電アクチュエーター３００が形成された流路形成基板１０上、すなわち、第１電極６０、絶縁体膜５５及びリード電極９０上には、マニホールド１００の少なくとも一部を構成するマニホールド部３１を有する保護基板３０が接着剤３５を介して接合されている。このマニホールド部３１は、本実施形態では、保護基板３０を厚さ方向に貫通して圧力発生室１２の幅方向に亘って形成されており、上述のように流路形成基板１０の連通部１３と連通されて各圧力発生室１２の共通のインク室となるマニホールド１００を構成している。また、流路形成基板１０の連通部１３を圧力発生室１２毎に複数に分割して、マニホールド部３１のみをマニホールドとしてもよい。さらに、例えば、流路形成基板１０に圧力発生室１２のみを設け、流路形成基板１０と保護基板３０との間に介在する部材（例えば、弾性膜５０、絶縁体膜５５等）にマニホールドと各圧力発生室１２とを連通するインク供給路１４を設けるようにしてもよい。
【００３６】
保護基板３０には、圧電アクチュエーター３００に対向する領域に、圧電アクチュエーター３００の運動を阻害しない程度の空間を有する圧電アクチュエーター保持部３２が設けられている。なお、圧電アクチュエーター保持部３２は、圧電アクチュエーター３００の運動を阻害しない程度の空間を有していればよく、当該空間は密封されていても、密封されていなくてもよい。
【００３７】
また、保護基板３０には、保護基板３０を厚さ方向に貫通する貫通孔３３が設けられている。そして、各圧電アクチュエーター３００から引き出されたリード電極９０の端部近傍は、貫通孔３３内に露出するように設けられている。
【００３８】
また、保護基板３０上には、信号処理部として機能する駆動回路９５が固定されている。駆動回路９５としては、例えば、回路基板や半導体集積回路（ＩＣ）等を用いることができる。そして、駆動回路９５とリード電極９０とは、貫通孔３３を挿通させたボンディングワイヤー等の導電性ワイヤーからなる接続配線９６を介して電気的に接続されている。
【００３９】
保護基板３０としては、流路形成基板１０の熱膨張率と略同一の材料、例えば、ガラス、セラミック材料等を用いることが好ましく、本実施形態では、流路形成基板１０と同一材料の面方位（１１０）のシリコン単結晶基板を用いて形成した。
【００４０】
また、保護基板３０上には、封止膜４１及び固定板４２とからなるコンプライアンス基板４０が接合されている。ここで、封止膜４１は、剛性が低く可撓性を有する材料、例えば、ポリフェニレンサルファイド（ＰＰＳ）フィルムからなり、この封止膜４１によってマニホールド部３１の一方面が封止されている。また、固定板４２は、金属等の硬質の材料、例えば、ステンレス鋼（ＳＵＳ）等で形成される。この固定板４２のマニホールド１００に対向する領域は、厚さ方向に完全に除去された開口部４３となっているため、マニホールド１００の一方面は可撓性を有する封止膜４１のみで封止されている。
【００４１】
このような本実施形態のインクジェット式記録ヘッドＩＩでは、図示しない外部インク供給手段と接続したインク導入口からインクを取り込み、マニホールド１００からノズル開口２１に至るまで内部をインクで満たした後、駆動回路９５からの記録信号に従い、圧力発生室１２に対応するそれぞれの第１電極６０と第２電極８０との間に電圧を印加し、弾性膜５０、絶縁体膜５５、第１電極６０及び圧電体層７０をたわみ変形させることにより、各圧力発生室１２内の圧力が高まりノズル開口２１からインク滴が吐出する。
【００４２】
そして、本実施形態では、繰り返し駆動してもクラック等の破壊を抑制した圧電体層７０を有する圧電アクチュエーター３００を有するインクジェット式記録ヘッドＩＩとすることで、耐久性が高く信頼性の高いインクジェット式記録ヘッドＩＩを実現することができる。
【００４３】
図５は、インクジェット式記録装置の制御構成を示すブロック図である。ここで、図５を参照して、本実施形態のインクジェット式記録装置の制御について説明する。本実施形態のインクジェット式記録装置は、図５に示すように、プリンターコントローラー１１１とプリントエンジン１１２とから概略構成されている。プリンターコントローラー１１１は、外部インターフェース１１３（以下、外部Ｉ／Ｆ１１３という）と、各種データを一時的に記憶するＲＡＭ１１４と、制御プログラム等を記憶したＲＯＭ１１５と、ＣＰＵ等を含んで構成した制御部１１６と、クロック信号を発生する発振回路１１７と、液体噴射ヘッドＩＩへ供給するための駆動信号を発生する駆動信号発生回路１１９と、駆動信号や印刷データに基づいて展開されたドットパターンデータ（ビットマップデータ）等をプリントエンジン１１２に送信する内部インターフェース１２０（以下、内部Ｉ／Ｆ１２０という）とを備えている。
【００４４】
外部Ｉ／Ｆ１１３は、例えば、キャラクターコード、グラフィック関数、イメージデータ等によって構成される印刷データを、図示しないホストコンピューター等から受信する。また、この外部Ｉ／Ｆ１１３を通じてビジー信号（ＢＵＳＹ）やアクノレッジ信号（ＡＣＫ）が、ホストコンピューター等に対して出力される。ＲＡＭ１１４は、受信バッファー１２１、中間バッファー１２２、出力バッファー１２３、及び、図示しないワークメモリーとして機能する。そして、受信バッファー１２１は外部Ｉ／Ｆ１１３によって受信された印刷データを一時的に記憶し、中間バッファー１２２は制御部１１６が変換した中間コードデータを記憶し、出力バッファー１２３はドットパターンデータを記憶する。なお、このドットパターンデータは、階調データをデコード（翻訳）することにより得られる印字データによって構成してある。
【００４５】
また、ＲＯＭ１１５には、各種データ処理を行わせるための制御プログラム（制御ルーチン）の他に、フォントデータ、グラフィック関数等を記憶させてある。制御部１１６は、受信バッファー１２１内の印刷データを読み出すと共に、この印刷データを変換して得た中間コードデータを中間バッファー１２２に記憶させる。また、中間バッファー１２２から読み出した中間コードデータを解析し、ＲＯＭ１１５に記憶させているフォントデータ及びグラフィック関数等を参照して、中間コードデータをドットパターンデータに展開する。そして、制御部１１６は、必要な装飾処理を施した後に、この展開したドットパターンデータを出力バッファー１２３に記憶させる。
【００４６】
そして、インクジェット式記録ヘッドＩＩの１行分に相当するドットパターンデータが得られたならば、この１行分のドットパターンデータは、内部Ｉ／Ｆ１２０を通じて圧電アクチュエーター３００に出力される。また、出力バッファー１２３から１行分のドットパターンデータが出力されると、展開済みの中間コードデータは中間バッファー１２２から消去され、次の中間コードデータについての展開処理が行われる。
【００４７】
プリントエンジン１１２は、インクジェット式記録ヘッドＩＩと、紙送り機構１２４と、キャリッジ機構１２５とを含んで構成してある。紙送り機構１２４は、搬送モーターと搬送ローラー８等から構成してあり、記録紙等の印刷記憶媒体をインクジェット式記録ヘッドＩＩの記録動作に連動させて順次送り出す。即ち、この紙送り機構１２４は、印刷記憶媒体を副走査方向に相対移動させる。
【００４８】
キャリッジ機構１２５は、インクジェット式記録ヘッドＩＩを搭載可能なキャリッジ軸５と、このキャリッジ軸５を主走査方向に沿って走行させるキャリッジ駆動部とから構成してあり、キャリッジ軸５を走行させることによりインクジェット式記録ヘッドＩＩを主走査方向に移動させる。なお、キャリッジ駆動部は、上述したように駆動モーター６及びタイミングベルト７等で構成されている。
【００４９】
インクジェット式記録ヘッドＩＩは、副走査方向に沿って多数のノズル開口２１を有し、ドットパターンデータ等によって規定されるタイミングで各ノズル開口２１から液滴を吐出する。そして、このようなインクジェット式記録ヘッドＩＩの圧電アクチュエーター３００には、図示しない外部配線を介して電気信号、例えば、後述する駆動信号（ＣＯＭ）や印字データ（ＳＩ）等が供給される。なお、このように構成されるプリンターコントローラー１１１及びプリントエンジン１１２では、プリンターコントローラー１１１と、駆動信号発生回路１１９から出力された所定の駆動波形を有する駆動信号を選択的に圧電アクチュエーター３００に入力するラッチ１３２、レベルシフター１３３及びスイッチ１３４等を有する駆動回路（図示なし）とが圧電アクチュエーター３００に所定の駆動信号を印加する駆動手段となる。
【００５０】
なお、これらのシフトレジスター１３１、ラッチ１３２、レベルシフター１３３、スイッチ１３４及び圧電アクチュエーター３００は、それぞれ、インクジェット式記録ヘッドＩＩの各ノズル開口２１毎に設けられており、これらのシフトレジスター１３１、ラッチ１３２、レベルシフター１３３及びスイッチ１３４は、駆動信号発生回路１１９が発生した吐出駆動信号や緩和駆動信号から駆動パルスを生成する。ここで、駆動パルスとは実際に圧電アクチュエーター３００に印加される印加パルスのことである。
【００５１】
このようなインクジェット式記録ヘッドＩＩでは、最初に発振回路１１７からのクロック信号（ＣＫ）に同期して、ドットパターンデータを構成する印字データ（ＳＩ）が出力バッファー１２３からシフトレジスター１３１へシリアル伝送され、順次セットされる。この場合、まず、全ノズル開口２１の印字データにおける最上位ビットのデータがシリアル伝送され、この最上位ビットのデータシリアル伝送が終了したならば、上位から２番目のビットのデータがシリアル伝送される。以下同様に、下位ビットのデータが順次シリアル伝送される。
【００５２】
そして、当該ビットの印字データの全ノズル分が各シフトレジスター１３１にセットされたならば、制御部１１６は、所定のタイミングでラッチ１３２へラッチ信号（ＬＡＴ）を出力させる。このラッチ信号により、ラッチ１３２は、シフトレジスター１３１にセットされた印字データをラッチする。このラッチ１３２がラッチした印字データ（ＬＡＴｏｕｔ）は、電圧増幅器であるレベルシフター１３３に印加される。このレベルシフター１３３は、印字データが例えば「１」の場合に、スイッチ１３４が駆動可能な電圧値、例えば、数十ボルトまでこの印字データを昇圧する。そして、この昇圧された印字データは各スイッチ１３４に印加され、各スイッチ１３４は、当該印字データにより接続状態になる。
【００５３】
そして、各スイッチ１３４には、駆動信号発生回路１１９が発生した駆動信号（ＣＯＭ）も印加されており、スイッチ１３４が選択的に接続状態になると、このスイッチ１３４に接続された圧電アクチュエーター３００に選択的に駆動信号が印加される。このように、例示したインクジェット式記録ヘッドＩＩでは、印字データによって圧電アクチュエーター３００に吐出駆動信号を印加するか否かを制御することができる。例えば、印字データが「１」の期間においてはラッチ信号（ＬＡＴ）によりスイッチ１３４が接続状態となるので、駆動信号（ＣＯＭｏｕｔ）を圧電素子１８に供給することができ、この供給された駆動信号（ＣＯＭｏｕｔ）により圧電素子１８が変位（変形）する。また、印字データが「０」の期間においてはスイッチ１３４が非接続状態となるので、圧電アクチュエーター３００への駆動信号の供給は遮断される。なお、この印字データが「０」の期間において、各圧電アクチュエーター３００は直前の電位を保持するので、直前の変位状態が維持される。
【００５４】
また、本実施形態のインクジェット式記録装置Ｉには、ノズル開口２１からインク滴の吐出不良を検出する検出手段２１０が設けられている。
【００５５】
検出手段２１０としては、例えば、インクジェット式記録装置Ｉにテストパターンを印刷させて、この印刷パターンを画像として読み込み吐出不良（ドット抜け）を検出するスキャナー等の光学系センサー等を用いることができる。また、検出手段２１０としては、例えば、液体吸収体からなる検査領域とノズルプレート２０（ノズル開口２１）との間に電圧を印加することによりインクを帯電させ、帯電したインクをインク滴として吐出させることで、検査領域とノズルプレート２０との間の電位の変化を表す電位信号を出力させることにより、この電位信号の振幅に基づき吐出不良を検出する方法を用いるようにしてもよい。さらに、検出手段２１０としては、圧電アクチュエーター３００を駆動した後に、圧電アクチュエーター３００に発生する過剰電圧（起電圧）を検出し、その振動（残留振動）の状態、例えば、残留振動の周期や振幅から吐出不良を検出するものであってもよい。もちろん、検出手段は、上述したものに限定されず、従来周知のものを用いることができる。
【００５６】
検出手段２１０としては、印刷中に、ほぼ印刷と同時に行うことができる方式が好ましく、圧電アクチュエーター３００に発生する過剰電圧を検出して残留振動を観測し、吐出不良を検出するものが特に好ましく、本実施形態では、これを採用した。なお、残留振動による吐出不良の検出、判定手法は、特許第３７９４４３１号公報に詳細に開示されたものを用いればよい。
【００５７】
また、制御部１１６には、上述したように印刷データを作成する印刷制御手段２０１のほか、切替手段２２０が設けられている。切替手段２２０は、検出手段２１０の検出結果に基づいて、印刷制御手段２０１に行わせる印刷動作を通常モードと、吐出禁止モードとに切り替えるように印刷制御手段２０１を制御するものである。
【００５８】
ここで、通常モードとは、検出手段２１０が吐出不良（ドット抜け）を検出していない際に実行される通常の印刷であり、印刷信号に基づいて、１つの圧力発生室１２に対応する圧電アクチュエーター３００を駆動して、１つの圧力発生室１２に対応するノズル開口２１から吐出されるインク滴によって、記録シートＳの１ドット分の領域を埋めるように印刷を実行する。
【００５９】
これに対して、吐出禁止モードとは、検出手段２１０が吐出不良（ドット抜け）を検出した際に実行される印刷であり、印刷中に吐出不良が生じた場合、その後、吐出不良が生じたノズル開口２１に対応する圧電アクチュエーター３００の駆動を一切禁止するものである。ここで、圧電アクチュエーター３００の駆動を一切禁止するとは、吐出不良が生じたノズル開口２１について、印刷データに基づく吐出のための駆動は勿論、フラッシング動作のための駆動やインク増粘防止のための吐出をさせないで微振動を与える微振動動作のための駆動も一切禁止するものであり、吸引回復動作などの回復動作が行われるまで継続される。
【００６０】
かかる吐出禁止モードは、吐出不良が生じたノズル開口２１に対応する圧電アクチュエーター３００の駆動を一切禁止して、吐出不良の悪化、例えば、回復不可能な状態になることを防止するものである。吐出不良が生じたノズル開口２１に対応する圧電アクチュエーター３００に吐出動作のための駆動や微振動動作のための駆動を継続すると、ノズル開口２１の開口近傍に存在する増粘インクが攪拌されて内方に移動し、これが長時間継続すると、増粘状態が内部に進行した状態となり、回復不可能な状態になる可能性があるので、これを防止するものである。吐出禁止モードを実行すると、ノズル開口２１に対応する圧電アクチュエーター３００が一切駆動されないので、ノズル開口２１の開口近傍の増粘インクはそのままの位置に留まり、長時間が経過しても膜化して増粘が内方に進行するのを防止し、次の回復動作で回復し易い状態を維持することができる。
【００６１】
吐出禁止モードでも原則的には印刷を継続するが、不良吐出が検出されたノズル開口２１の数が著しく多い場合などには、印刷を中止して直ぐに回復処理に移行してもよい。
【００６２】
また、吐出禁止モードで印刷を継続する場合には吐出不良が検出されたノズル開口２１に対応する圧電アクチュエーター３００の駆動は禁止されるので、これ以外のノズル開口２１での印刷が継続される。なお、吐出不良が検出されたノズル開口２１に対応する圧電アクチュエーター３００の駆動の禁止は、かかる圧電アクチュエーター３００への駆動信号をカットすることにより容易に行うことができる。例えば、吐出不良が検出された圧電アクチュエーター３００に対応するスイッチ１３４の接続状態への切替を禁止するようにすればよい。
【００６３】
さらに、吐出禁止モードで印刷を継続する場合、吐出不良を検出したノズル開口２１からの吐出を他のノズル開口２１からの吐出で補完する記録データで記録を続行する補完印刷を実行するようにしてもよい。
【００６４】
このような補完印刷は、従来から公知の手法を用いればよいが、吐出不良が発生したノズル開口２１に対応する圧電アクチュエーター３００への駆動データを一切切断して実施する必要がある。
【００６５】
このような通常モードでの印刷と、吐出禁止モードでの印刷との切り換え動作につて、図６のフローチャートを参照して説明する。
【００６６】
ステップＳ１で所定時間印刷を行った後、ステップＳ２でノズル開口が正常吐出をしているか否かを判断する。全てのノズル開口で正常吐出をされておらず、吐出不良のノズル開口が存在する場合には（ステップＳ２、Ｎｏ）、ステップＳ３で吐出禁止モードに設定を行い、全てのノズル開口で正常吐出をしている場合には（ステップＳ２、Ｙｅｓ）、そのまま、ステップＳ４に移行する。ステップＳ４では印刷終了か否かを判断し、終了でない場合には（ステップＳ４、Ｎｏ）ステップＳ１に戻って印刷を継続する。この際、ステップＳ３で吐出禁止モードに設定されている場合には、吐出禁止モードでの印刷が継続され、ステップＳ３で吐出禁止モードに設定されていない場合には、通常モードでの印刷が継続される。そして、ステップＳ４で印刷が終了と判断された場合には（ステップＳ４、Ｙｅｓ）、ステップＳ５で全ノズル開口が正常か否かを判断し、吐出不良のノズル開口が存在する場合には（ステップＳ５、Ｎｏ）、ステップＳ６で回復処理を実行し、その後、次の印刷に移行する（ステップＳ７）。この際、印刷途中で吐出不良のノズル開口が発生し、その後、印刷が継続されても、吐出不良が発生した以降、吐出禁止モードで印刷が継続されているので、吐出不良のノズル開口については、その後の駆動が一切禁止されているので、ステップＳ６での回復処理で確実に回復することができる。なお、ステップＳ５で全ノズル開口が正常の場合には（ステップＳ５、Ｙｅｓ）、そのまま次の印刷に移行する（ステップＳ７）。
【００６７】
以上説明した実施形態では、印刷途中で吐出不良を検出した場合、吐出不良のノズル開口に対応する圧電アクチュエーター３００の駆動を一切禁止して印刷を続行するので、印刷の失敗を回避でき、且つ吐出不良が生じたノズル開口については、吐出不良が悪化することなく、印刷終了後の回復処理により確実に回復させることができる。
【００６８】
（実施形態２）
図７には、制御装置であるホストコンピューターと、これに接続される記録装置からなる記録システムの概略構成を示す。
【００６９】
図７に示すように、ホストコンピューター２５０は、ホスト側の制御部２６０と、記憶部２７０と、を備えている。
【００７０】
制御部２６０は、ＣＰＵや、ＲＯＭ、ＲＡＭ、その他の周辺回路等を備え、ホストコンピューター２５０の各部を中枢的に制御するものであり、制御コマンド生成部２６１を具備する。また、記憶部２７０は、各種データを不揮発的に記憶するメモリーを備え、少なくとも、アプリケーションプログラム２７１と、デバイスドライバー２７２と、が記憶されている。
【００７１】
アプリケーションプログラム２７１は、記録装置２８０による記録に際し、記録データに関する情報を生成し、デバイスドライバー２７２に出力する。
【００７２】
また、デバイスドライバー２７２は、記録装置２８０を制御するためのプログラムである。アプリケーションプログラム２７１から記録データの情報が入力されると、デバイスドライバー２７２は、制御コマンドを生成して、記録装置２８０に出力する。記録装置２８０は、制御コマンドに基づいて、記録を実行する。
【００７３】
記録装置２８０は、カラー印刷が可能なインクジェットヘッド（記録ヘッド）、セットされたラベル用紙を搬送する搬送機構を有する記録ユニットを備え、この記録ユニットにより、記録を実行するものであり、検出手段２１０や切替手段２２０を具備しない以外は実施形態１で説明した構造を有するものでもよい。
【００７４】
記録装置２８０は、プリンター側の制御部２９０と、実施形態１と同様なインクジェット式記録ヘッドＩＩとを具備する。
【００７５】
制御部２９０は、ＣＰＵや、ＲＯＭ、ＲＡＭ等を有し、記録装置２８０の各部を中枢的に制御する。プリンター側の制御部２９０は、ホストコンピューター２５０から制御コマンドを受信した場合に、制御コマンドを解釈して、インクジェット式記録ヘッドＩＩに記録を実行させる印刷制御手段２９１を備える。
【００７６】
本実施形態では、ホスト側の制御部２６０は、検出手段２１０Ａと切替手段２２０Ａとを具備する。検出手段２１０と切替手段２２０とは基本的には、実施形態１のものと同じであるので、簡略に説明する。
【００７７】
検出手段２１０Ａは、ノズル開口２１からインク滴の吐出不良を検出するものであり、具体的には、圧電アクチュエーター３００を駆動した後に、圧電アクチュエーター３００に発生する過剰電圧（起電圧）を検出し、その振動（残留振動）の状態、例えば、残留振動の周期や振幅から吐出不良を検出するものである。
【００７８】
また、切替手段２２０Ａは、検出手段２１０Ａの検出結果に基づいて、制御コマンド生成部２６１が生成する制御コマンドを通常モード用の制御コマンドと、吐出禁止モード用の制御コマンドとに切り替えるものである。
【００７９】
ここで、通常モードとは、検出手段２１０Ａが吐出不良（ドット抜け）を検出していない際に実行される通常の印刷であり、印刷信号に基づいて、１つの圧力発生室１２に対応する圧電アクチュエーター３００を駆動して、１つの圧力発生室１２に対応するノズル開口２１から吐出されるインク滴によって、記録シートＳの１ドット分の領域を埋めるように印刷を実行する制御コマンドを生成する。
【００８０】
これに対して、吐出禁止モードとは、検出手段２１０Ａが吐出不良（ドット抜け）を検出した際に実行される印刷であり、印刷中に吐出不良が生じた場合、その後、吐出不良が生じたノズル開口２１に対応する圧電アクチュエーター３００の駆動を一切禁止するものである。ここで、圧電アクチュエーター３００の駆動を一切禁止するとは、吐出不良が生じたノズル開口２１について、印刷データに基づく吐出のための駆動は勿論、フラッシング動作のための駆動やインク増粘防止のための吐出をさせないで微振動を与える微振動動作のための駆動も一切禁止するものであり、吸引回復動作などの回復動作が行われるまで継続される。
【００８１】
吐出禁止モードでも原則的には印刷を継続するが、不良吐出が検出されたノズル開口２１の数が著しく多い場合などには、印刷を中止して直ぐに回復処理に移行してもよい。
【００８２】
そして、吐出禁止モードで印刷を継続する場合の制御コマンドは、吐出不良が検出されたノズル開口２１に対応する圧電アクチュエーター３００の駆動は禁止して、これ以外のノズル開口２１での印刷を継続する制御コマンドである。
【００８３】
本実施形態では、ホストコンピューター２５０側で吐出不良のノズル開口２１を検出し、吐出不良のノズル開口２１が検出された場合には、吐出禁止モード用の制御コマンドを記録装置２８０に送信するので、吐出不良が悪化せず、回復不可能な状態になることが防止される。
【００８４】
また、上述したように、ホストコンピューター２５０の制御部２６０に上述したような検出手段２１０Ａと切替手段２２０Ａとを備えるためには、検出手段２１０Ａ及び切替手段２２０Ａとして制御部２６０を機能させるプログラムを実行すればよい。
【００８５】
以上説明した実施形態でも、印刷途中で吐出不良を検出した場合、吐出不良のノズル開口に対応する圧電アクチュエーター３００の駆動を一切禁止して印刷を続行するので、印刷の失敗を回避でき、且つ吐出不良が生じたノズル開口については、吐出不良が悪化することなく、印刷終了後の回復処理により確実に回復させることができる。
【００８６】
（他の実施形態）
以上、本発明の一実施形態について説明したが、本発明の基本的構成は上述したものに限定されるものではない。
【００８７】
上述した実施形態１では、１つの圧力発生室１２に対して１つのノズル開口２１が設けられた例を示したが、特にこれに限定されず、１つの圧力発生室１２に対して２つ以上のノズル開口が設けられていてもよい。このように１つの圧力発生室に連通するノズル開口が複数の場合であっても、１つの圧力発生室に連通する複数のノズル開口を１つのノズル開口２１とみなして、複数のノズル開口２１でノズル群を構成すればよい。
【００８８】
さらに、上述した実施形態１では、圧力発生室１２に圧力変化を生じさせる圧力発生手段として、薄膜型の圧電体層７０を有する圧電アクチュエーター３００を用いて説明したが、特にこれに限定されず、例えば、グリーンシートを貼付する等の方法により形成される厚膜型の圧電体層を有する圧電アクチュエーターや、圧電材料と電極形成材料とを交互に積層させて軸方向に伸縮させる縦振動型の圧電アクチュエーターなどを使用することができる。また、圧力発生手段として、圧力発生室内に発熱素子を配置して、発熱素子の発熱で発生するバブルによってノズル開口から液滴を吐出するものや、振動板と電極との間に静電気を発生させて、静電気力によって振動板を変形させてノズル開口から液滴を吐出させるいわゆる静電式アクチュエーターなどを使用することができる。
【００８９】
また、上述した例では、インクジェット式記録装置Ｉは、液体貯留手段であるインクカートリッジ２がキャリッジ３に搭載された構成であるが、特にこれに限定されず、例えば、インクタンク等の液体貯留手段を装置本体４に固定して、貯留手段とインクジェット式記録ヘッドＩＩとをチューブ等の供給管を介して接続してもよい。また、液体貯留手段がインクジェット式記録装置に搭載されていなくてもよい。
【００９０】
なお、上記実施の形態においては、液体噴射ヘッドの一例としてインクジェット式記録ヘッドを、また液体噴射装置の一例としてインクジェット式記録装置を挙げて説明したが、本発明は、広く液体噴射ヘッドを具備する液体噴射装置全般を対象としたものであり、インク以外の液体を噴射する液体噴射ヘッドを具備する液体噴射装置にも勿論適用することができる。その他の液体噴射ヘッドとしては、例えば、プリンター等の画像記録装置に用いられる各種の記録ヘッド、液晶ディスプレイ等のカラーフィルターの製造に用いられる色材噴射ヘッド、有機ＥＬディスプレイ、ＦＥＤ（電界放出ディスプレイ）等の電極形成に用いられる電極材料噴射ヘッド、バイオｃｈｉｐ製造に用いられる生体有機物噴射ヘッド等が挙げられ、かかる液体噴射ヘッドを備えた液体噴射装置に適用できる。
【符号の説明】
【００９１】
Ｉ  インクジェット式記録装置（液体噴射装置）、  ＩＩ  インクジェット式記録ヘッド（液体噴射ヘッド）、  １０  流路形成基板、  １２  圧力発生室、  １３  連通部、  １４  インク供給路、  １５  連通路、  ２０  ノズルプレート、  ２１  ノズル開口、  ３０  保護基板、  ３１  マニホールド部、  ３２  圧電アクチュエーター保持部、  ４０  コンプライアンス基板、  ５０  弾性膜、  ５５  絶縁体膜、  ６０  第１電極、  ７０  圧電体層、  ８０  第２電極、  ９０  リード電極、  １００  マニホールド、  １１６  制御部（制御手段）、  ２１０、２１０Ａ  検出手段、  ２２０、２２０Ａ  切替手段、  ２５０  ホストコンピューター、  ２８０  記録装置、  ２９０  制御部、  ３００  圧電アクチュエーター
【図１】
2017043024.tif 000003
【図２】
2017043024.tif 000004
【図３】
2017043024.tif 000005
【図４】
2017043024.tif 000006
【図５】
2017043024.tif 000007
【図６】
2017043024.tif 000008
【図７】
2017043024.tif 000009